(57)【要約】【課題】人工乳首の販売に際して、製品に変形を生じることがなく、製品を手に取らなくとも、外部から容易に製品の形態等を確認することができる人工乳首の包装容器を提供すること。【解決手段】人工乳首を収容する収容空間を形成した包装体１０と、前記収容空間内で人工乳首を支持する支持手段５０とを備える人工乳首の包装容器であって、包装体１０は、半体１２，１４同士を着脱可能な複数の凹凸部を含む係止手段１６・１７等により接合して形成されると共に、少なくとも一部が透明とされており、支持手段５０は、半体１２，１４に挟まれて、複数の凸部１６等がそれぞれ挿通される受容部７０，７２等を有し、この受容部７０，７２等の少なくとも一部がこれに挿通される凸部１６等を案内するための案内手段７０，７０’を有し、さらに支持手段５０は、半体１２，１４に挟まれて、包装体１０の外側に所定の面積を有するように延長された延長部５０ａを備える。【選択図】　　　　図１
2004008344.tif 000002
【特許請求の範囲】
【請求項１】
人工乳首を収容する収容空間を形成した包装体と、前記収容空間内で前記人工乳首を支持する支持手段とを備える人工乳首の包装容器であって、
前記包装体は、半体同士を着脱可能な複数の凹凸部を含む係止手段により接合して形成されると共に、少なくとも一部が透明とされており、
前記支持手段は、前記半体同士に挟まれて、前記複数の凸部がそれぞれ挿通される受容部を有し、この受容部の少なくとも一部がこれに挿通される前記凸部を案内するための案内手段を有し、
さらに前記支持手段は、前記半体同士に挟まれて、前記包装体の外側に所定の面積を有するように延長された延長部を備える
ことを特徴とする人工乳首の包装容器。
【発明の詳細な説明】
【０００１】
【発明の属する技術分野】
本発明は、人工乳首の包装容器に関するものである。
【０００２】
【従来の技術】
従来、哺乳器などに用いられる人工乳首は、生ゴムやイソプレンゴム等を材料として成型されてきた。
このような人工乳首は、光が当たると、紫外線により硬化したり、変色するなどしてしまう。そのため、生ゴムやイソプレンゴムなどで成型された人工乳首は、一般に光を透過しない包装容器に収容して保管され、販売されている。
【０００３】
【発明が解決しようとする課題】
ところで、近年は、光が当たっても著しく軟度が劣化したり変色することがないシリコンが開発され、このシリコンを材料にして人工乳首を成型することが多くなってきた。そのため、シリコンで成型された人工乳首については、透明なケースに収容して販売することも考えられる。
【０００４】
しかし、シリコンで成型された人工乳首は、肉厚が薄くて柔らかく、変形し易い特性をもっている。そのため、単に包装容器の中に収容するだけでは、包装容器の内壁に当たるなどして人工乳首の形状が崩れてしまう場合がある。このため、透明な包装容器に収容された乳首を、変形した状態で店頭で販売されると、形が崩れた人工乳首の形態が容器越しに視認されるので、需要者の購買欲を減退させてしまう。
【０００５】
また、従来のように、人工乳首が光を透過しない包装容器に収容されて販売されている状態では、購入に際して、需要者が製品の形態等について、外部から観察することができない。したがって、製品確認のためには、包装容器から製品を取り出す必要がある。
ところが、人工乳首は乳幼児の口に入るものであり、人工乳首の販売に際して、包装容器に収容された人工乳首を容器から取り出して、手にとることは衛生上好ましくない。特に、シリコンについては埃を吸着し易い特性があるため、尚更、包装容器から人工乳首を取り出して、製品の形態などを確認させるのは、非衛生的である。
【０００６】
本発明の目的は、上述の課題を解決するためのものであり、人工乳首の販売に際して、製品が変形されることがなく、製品を手に取らなくとも、外部から容易に製品の形態等を確認することができる人工乳首の包装容器を提供することを目的とする。
【０００７】
【課題を解決するための手段】
上記目的は、請求項１の発明によれば、人工乳首を収容する収容空間を形成した包装体と、前記収容空間内で前記人工乳首を支持する支持手段とを備える人工乳首の包装容器であって、前記包装体は、半体同士を着脱可能な複数の凹凸部を含む係止手段により接合して形成されると共に、少なくとも一部が透明とされており、前記支持手段は、前記半体同士に挟まれて、前記複数の凸部がそれぞれ挿通される受容部を有し、この受容部の少なくとも一部がこれに挿通される前記凸部を案内するための案内手段を有し、さらに前記支持手段は、前記半体同士に挟まれて、前記包装体の外側に所定の面積を有するように延長された延長部を備えることを特徴とする人工乳首の包装容器により達成される。
【０００８】
請求項１の構成によれば、人工乳首の包装容器は、人工乳首を収容する収容空間を形成した包装体を備えている。そして、この包装体は、半体同士を着脱可能な複数の凹凸部により接合して形成されると共に、少なくとも一部が透明とされている。
したがって、需要者は、包装体内にある製品の形態等を、包装体の透明な部分を透して、視認することができる。また、包装体を構成する半体同士は着脱可能であるため、包装容器から取り出して使用した後の人工乳首を、包装容器を利用して保管することもできる。
【０００９】
また、人工乳首の包装容器は、包装体の収容空間内で人工乳首を支持する支持手段を有している。そして、この支持手段は、前記半体同士に挟まれて、各半体の前記複数の凸部がそれぞれ挿通される受容部を有している。
したがって、支持手段を間に挟んで凹凸部により半体同士を接合するにあたって、一方の半体の凸部は、支持手段の受容部にそれぞれ挿通されて、さらに他方の半体の凹部に入り込む。これにより、受容部と凸部とが係止して、支持手段と包装体とは所定の位置で接合される。
これにより、人工乳首が、包装体の収容空間内で自由に動くことがなく、例えば包装体の内壁に接触して変形することがない。
【００１０】
また、受容部は、上述のように複数の凸部がそれぞれ挿通されるようになっており、さらに、この受容部の少なくとも一部がこれに挿通される前記凸部を案内するための案内手段を有している。したがって、案内手段によって、前記複数の凸部がそれぞれの受容部に入りこむように案内できる。
【００１１】
さらに前記支持手段は、前記半体同士に挟まれて、前記包装体の外側に所定の面積を有するように延長された延長部を有する。したがって、この所定の面積の延長部に商標などを印刷等することができる。また、この延長部を利用して、例えば掛止用の孔などを設けることで、支持手段を壁に掛けて、本包装容器を吊り下げることもできる。
【００１２】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
図１は、本発明の実施形態にかかる人工乳首の包装容器１の概略分解斜視図である。図２は、図１の包装容器１の概略斜視図である。
これらの図において、本包装容器１は、包装体１０と支持手段５０を有している。
包装体１０は、人工乳首２を収容するためのケースであり、半体１２と半体１４とから形成されている。この半体１２と半体１４は、半体１２，１４に設けた係止手段としての複数の凹部１７，１７’１９，１９’と複数の凸部１６，１６’，１８，１８’とを接合することで形成されている。この係止手段としての複数の凹凸部については、後で詳細に説明する。
【００１４】
半体１２および半体１４は、例えばプラスチックを成型して形成され、互いに同型に形成された略矩形状の２つの半体である。各半体１２，１４は、それぞれ凹状の空間１２ａ，１４ａを有している。これにより、各半体１２，１４の各凹状の空間１２ａ，１４ａの開口どうしを対向させて、接合することにより、全体として、例えば略矩形状のボックス状をした包装体１０を形成するようになっている。この包装体１０の内部には、各半体１２，１４の凹状の空間１２ａ，１４ａがひとつにされて、人工乳首２を収容するのに十分な容積を持つ収容空間Ｓが形成されるようになっている。
【００１５】
また、本実施の形態において、各半体１２，１４は透明体からなり、この半体１２と半体１４とを接合してなる包装体１０は、全体が透明となっている。
なお、包装体１０は、その全体が透明でなくても、少なくとも需要者が包装体１０に収容された人工乳首２について、確認したい部分が外部から視認されるように、包装体１０の対応する箇所が部分的に透明に形成されていてもよい。したがって、図２に示すように、バーコードリーダ等で読み取ることができる識別子や商標などを印刷等したシール４を貼付したり、或いは、本包装容器１の一例としての正面図を表す図３に示すように、半体１２または半体１４に、図柄などを印刷してもよい。
【００１６】
また、各半体１２，１４は、上述のように略矩形状であり、完全な矩形状ではないため、この半体１２，１４同士を接合してなる包装体１０は、図７に示すように、底面が略平らに形成されている。このため、包装体１０は、例えば底面側をテーブル等に置いた際に転倒しないように、図６および図７で示すように、半体１２および半体１４を接合した際に形成される脚部３０を有している。
【００１７】
支持手段５０は、人工乳首２を収容空間Ｓ内で支持するための手段である。
具体的には、図１および図２において、支持手段５０は、薄板状の厚紙やプラスチックなどで形成されている。また、支持手段５０は、半体１２と半体１４を接合した場合の接合面１３の略全体で、挟み込まれるようになっている。そして、包装体１０の収容空間Ｓ内に位置する支持手段としての保持孔６２を有している。保持孔６２は、人工乳首２を包装体１０内で動かないように支持する機能を発揮するものである。この保持孔６２は、人工乳首２を支持できれば、どのような形態でもよいが、本実施形態では、保持孔６２は、確実に人工乳首２を支持できるように、複数の人工乳首２を重ねて収容する際の全体の輪郭と略一致した貫通孔で形成されている。
【００１８】
このように、支持手段５０は、人工乳首２を包装体１０の収容空間Ｓ内で自由に動かないようにすると共に、この支持手段５０を薄板状とすることで、人工乳首２の外面をほとんど覆い隠すことなく、人工乳首２を支持できるようになっている。このため、需要者は、収容空間Ｓ内の人工乳首２の略全体にわたる形態を、透明な包装体１０の外部から視認することができる。
なお、保持孔６２は、人工乳首２を透明フィルムで覆い、この覆われた透明フィルムの輪郭と略一致した貫通孔としてもよい。このように透明フィルムで覆った人工乳首２を支持することで、包装体１０の外部から人工乳首２を視認できると共に、人工乳首２に埃などが吸着して汚れること等を防ぎ、衛生的に人工乳首２を包装容器１に収容することができる。
【００１９】
また、この支持手段５０は、半体１２，１４同士に挟まれた場合に、半体１２の凸部１６，１８、及び半体１４の凸部１６’，１８’が、それぞれ挿通される受容部７０，７０’，７２，７２’を設けている。このため、支持手段５０を半体１２と半体１４の間に挟んで本包装容器１を形成すると、受容部７２は凸部１６’と係止し、受容部７２’は凸部１６と係止し、受容部７０は凸部１８’と係止し、受容部７０’は凸部１８と係止して、支持手段５０は、包装体１０と所定の位置で固定される。
【００２０】
そうすると、支持手段５０は、上述のように、保持孔６２により人工乳首２を収容空間Ｓ内で支持するようになっているので、人工乳首２は、包装体１０の収容空間Ｓ内において、所定の位置に固定される。このため、包装体１０の収容空間Ｓ内の人工乳首２が、例えば包装体１０の内壁に接触して変形することを防止できる。
【００２１】
また、支持手段５０は、図２に示されるように、延長部５０ａを有している。この延長部５０ａは、包装体１０の外部に所定の面積を有し、その表面に商標等を印刷したり、包装容器１を吊り下げるために利用される部分である。
この延長部５０ａは、本実施の形態では、支持手段５０が半体１２，１４同士に挟まれて保持された状態において、包装体１０の収容空間Ｓ内から、包装体１０の外側に所定の面積をもって、一体に延長されて形成されている。すなわち、延長部５０ａは支持手段５０の一部を利用して形成されている。また、延長部５０ａの図において、上端付近に掛止手段としての貫通孔５０ｂを形成している。この貫通孔５０ｂには、販売店に設備されたフック等が挿通されることで吊り下げられるようになっている。
【００２２】
このように、延長部５０ａは、支持手段５０の一部を利用して形成されているため、支持手段５０と包装体１０以外の新たな部材を設けなくても、本包装容器１を吊り下げることができ、部品点数を少なくすることができる。また、この延長部５０ａに商標やキャッチフレーズ等を印刷することができるので、包装体１０の外部から収容空間Ｓ内の人工乳首２を視認する妨げになるような包装体１０への商標等の印刷を回避できる。
【００２３】
また、支持手段５０は、図１および図２で示すように、包装体１０内に、人工乳首２と共に、能書６や人工乳首２の先端孔に刺す所謂ニップルピン８等の付属品を収容するための付属品収納部６０を設けている。これらの図では、付属品収納部６０は、包装体１０の収容空間Ｓ内にある支持手段５０を切り欠いて形成されている。そして、この切り欠いた端面と収容空間Ｓ内の底部とで付属品を挟んで、付属品を固定している。なお、付属品収納部６０は、これらの図に限らず、収容する付属品の外形に沿った切り欠きによって形成してもよく、また、包装体１０の底部側に配置されなくてもよい。
このようにして、能書６やニップルピン８等の付属品を収容するため、支持手段５０と包装体１０以外の別部材を新たに設けることなく、付属品を包装体１０内に固定して収容している。
【００２４】
次に、包装体１０を形成する半体１２，１４に設けた係止手段としての複数の凹凸部１６，１７，１８，１９，１６’，１７’，１８’，１９’について、図４ないし図１０に基づいて、詳細に説明する。
図４は、半体１２と半体１４とを接合した場合の人工乳首の包装容器１の正面図であり、図５はこの包装容器１の平面図、図６はこの包装容器１の底面図、図７はこの包装容器１の側面図、図８は図４のＡ−Ｂ−Ｃ線組合せ断面図である。また、図９は、半体１２を凹状の空間１２ａ側から見た図であり、図１０は、図９のＤ−Ｄ線切断断面図である。
なお、図４ないし図８において、包装体１０は実線で、支持手段５０は点線で示している。
【００２５】
包装体１０は、上述のように半体１２と半体１４とからなり、半体１２は、図９に最もよく現れるように、凸部或いは凹部を、半体１２の周縁よりやや内側に四箇所備えている。すなわち、半体１２は、半体１４との接合面において、左上に凸部１６を、左下に凹部１７を、右下に凸部１８を、右上に凹部１９が設けられている。
また、半体１４は、半体１２と同一に形成されており、半体１２と同様の位置に、図１に示すように凸部１６’，１８’と凹部１７’，１９’を有している。したがって、半体１２と半体１４とを対向するように向き合わせると、半体１２の凸部１６，１８は、半体１４の凹部１７’，１９’とそれぞれ対向する位置になり、半体１２の凹部１７，１９は、半体１４の凸部１６’，１８’とぞれぞれ対向する位置になる。
【００２６】
この半体１２，１４に設けた凸部１６，１８，１６’，１８’は、図８および図１０に示すように、根元２０から先端２２に向かうにつれ、除々に断面積が小さくなるようにされている。一方、凹部１７，１９，１７’，１９’は、根元２４から先端２６に向かうにつれ、除々に内径が大きくなるようにされている。そして、凸部１６，１８，１６’，１８’の先端２２の端面は、凹部１７，１９，１７’，１９’の先端２６の内径よりも小さく形成されているが、凸部１６，１８，１６’，１８’の基端２０の断面は、凹部１７，１９，１７’，１９’の先端２６の内径よりも大きく形成されている。
したがって、半体１２と半体１４とを向き合わせて、半体１２の凸部１６，１８を半体１４の凹部１７’，１９’にそれぞれ嵌入させ、半体１４の凸部１６’，１８’を半体１２の凹部１７，１９にぞれぞれ嵌入させて接合することができる。
【００２７】
また、半体１２，１４に設けられた凸部１６，１８，１６’，１８’の長さについては、支持手段５０を半体１２と半体１４の間に挟んでも挟まなくても、半体１２と半体１４とが隙間なく接合できるように、凸部１６，１８，１６’，１８’の先端２２から半体１２，１４の端面２５の位置までの長さＷ２が、凹部１７，１９，１７’，１９’の深さＤ２よりも、少なくとも支持手段５０の厚み分について、短く形成されている。
【００２８】
ところで、このように、凸部１６，１８，１６’，１８’の先端２２から半体１２，１４の端面２５の位置までの長さＷ２が、短く形成された場合には、凸部１６，１８，１６’，１８’と凹部１７，１９，１７’，１９’とが接合される強度は、凸部１６，１８，１６’，１８’の長さＷ２と凹部１７，１９，１７’，１９’の深さＤ２とを一致させた場合に比べて、弱くなる。
しかし、半体１２，１４の凹部１７，１９，１７’，１９’には、図８および図９で示すように、切り欠き部２９が設けられている。この切り欠き部２９は凹部１７，１９，１７’，１９’にバネ性を付与している。
したがって、凸部１６，１８，１６’，１８’の先端２２から半体１２，１４の端面２５の位置までの長さＷ２が、上述のように短く形成されていても、凸部１６，１８，１６’，１８’と凹部１７，１９，１７’，１９’の所定の接合強度を確保することができ、確実に半体１２，１４同士を接合することができる。
【００２９】
一方、半体１２，１４の凸部１６，１８，１６’，１８’は、図９で示すように、正面から見て略十字となるようにリブ２８が形成されている。したがって、例えば、凹部１７，１９，１７’，１９’の内径が、これに挿入する凸部１６，１８，１６’，１８’の外形と略一致するように形成され、凸部１６，１８，１６’，１８’を凹部１７，１９，１７’，１９’に挿入する力が高くなければならない場合、非力な女性等であっても、確実に凸部１６，１８，１６’，１８と凹部１７，１９，１７’，１９’を接合することができる。
【００３０】
このように、半体１２と半体１４は、リブ２８を有する凸部１６，１８，１６’，１８’と切り欠き部２９を有する凹部１７，１９，１７’，１９’により、着脱可能に形成されている。したがって、需要者は、例えば、本包装容器１に収容した人工乳首２を購入し、シール４を剥がして半体１２と半体１４を分離させ、支持手段５０で支持された人工乳首２を取り出して使用することができる。そして、人工乳首２を使用した後、支持手段５０を挟まずに、半体１２と半体１４とを、人工乳首２を収容しつつ接合し直して、同じ包装体１０で人工乳首２を保管することができる。
【００３１】
なお、半体１２，１４の凸部１６，１８，１６’，１８’の数および位置については、半体１２，１４同士を接合することができれば、図示した数および位置に限られない。
【００３２】
次に、支持手段５０に設けた受容部７０，７０’，７２，７２’について図１１および図１２を中心に詳細に説明する。
図１１は、支持手段５０の正面図である。また、図１２（ａ）は、受容部７２に例えば半体１２の凸部１６を挿通した場合の受容部７２付近の概略部分拡大図であり、図１２（ｂ）は、受容部７０に例えば半体１２の凸部１８を挿通した場合の受容部７０付近の概略部分拡大図である。
【００３３】
これらの図において、支持手段５０は、上述のように、半体１２および半体１４に設けた凸部１６，１８，１６’１８’がそれぞれ挿通される受容部７０，７０’，７２，７２’を有している。この受容部７０，７０’，７２，７２’は、支持手段５０と包装体１０とを所定の位置に固定するための例えば孔である。
すなわち、図１１において、この受容部７０，７０’，７２，７２’は、半体１２および半体１４に設けられた凸部１６，１６’１８，１８’がそれぞれ挿通できるように貫通孔で形成されている。
【００３４】
このうち受容部７０，７０’は、支持手段５０の下部側の左右両端に、受容部７２，７２’は、支持手段５０の略中央の左右両端に設けられている。この下部側の左右両端の受容部７０，７０’は、支持手段５０を挟んで半体１２と半体１４を接合した場合に、半体１２の凸部１８および半体１４の凸部１８’を、それぞれ挿通することができる位置に設けられている。また略中央の左右両端の受容部７２，７２’は、半体１２の凸部１６および半体１４の凸部１６’を、それぞれ挿通することができる位置に設けられている。
【００３５】
このようにして、受容部７０，７０’，７２，７２’は、凸部１６，１６’１８，１８’にそれぞれ挿通され、この凸部１６，１６’，１８，１８’とそれぞれ係止することで、支持手段５０と包装体１０を所定の位置に固定するようになっている。なお、受容部７０，７０’，７２，７２’の数および位置については、包装体１０と支持手段５０とが所定の位置で固定できれば、図示した数および位置に限られない。本実施の形態では、受容部７０，７０’，７２，７２’の内、少なくとも２箇所の受容部を左右２隅に対称に設けるようにして、たとえ支持手段５０が薄板状の厚紙で形成されて硬度が低い場合であっても、包装体１０内で、支持手段５０がよれてしまうことを防止している。
【００３６】
ここで、支持手段５０の略中央の左右両端に設けた受容部７２，７２’は、これに挿通される凸部１６，１６’と、確実に係止することができるように、図１２（ａ）で示すように、リブ２８を含めた凸部１６，１６’の幅Ｗ２よりわずかに大きな直径を有する貫通孔で形成されている。
これに対し、下部側の左右両端の受容部７０，７０’は、図１２（ｂ）に示すように、これに挿通される凸部１８，１８’を案内するための案内手段７０ａ，７０ａを有している。
【００３７】
この案内手段７０ａ，７０ａは、凸部１８，１８’を挿通した際に、この挿通した凸部１８，１８’を、図１２（ｂ）の点線で示した凸部１８が位置する奥側の貫通孔７０ｂに案内する。換言すれば、案内手段７０ａ，７０ａは、支持手段５０を挟んで半体１２と半体１４を接合した場合に、受容部７０，７０’，７２，７２’の位置と、半体１２および半体１４に設けた凸部１６，１６’，１８，１８’との位置が一致するように凸部１８，１８’を案内するためのガイドである。
【００３８】
すなわち、案内手段７０ａ，７０ａは、リブ２８を含めた凸部１８の幅Ｗ３と略同様の幅Ｗ４をもって、支持手段５０の下部側の外縁５０ｄから、図において斜め上方に延びるように切り欠くことで形成されている。また、この案内手段７０ａ，７０ａは、図１１に示すように、左右対称に切り欠くことで形成されている。
そして、半体１２または半体１４のいずれか一方、例えば半体１２の下部側の凸部１８を、案内手段７０ａに挿通し、この凸部１８を斜め上方に案内することで、図１２（ｂ）の点線で示した凸部１８が位置する奥側の貫通孔７０ｂまで導き、容易に凸部１８を所定の位置に配置することができる。またその結果、支持手段５０の略中央の左右両端の受容部７２の形状が、半体１２の凸部１６を挿入してほとんど隙間のない形状であっても、この凸部１６の位置と受容部７２の位置とを容易に合わせて、凸部１６を受容部７２に容易に嵌入させることができる。
【００３９】
また、このように、例えば、半体１２の２つの凸部１６，１８が、支持手段５０の受容部７０，７２に挿通されると、半体１２の凹部１７と受容部７０’の位置、および半体１２の凹部１９と受容部７２’の位置も一致することになる。
したがって、例えば半体１２の凸部１６，１８を、支持手段５０の受容部７０，７２に挿通した後、残る半体１４の凸部１６’，１８’については、これがそれぞれ挿通する受容部７０’，７２’との位置合わせをする必要がなくなる。すなわち、半体１４の凸部１６’，１８’を、半体１２の凹部１７，１９にぞれぞれ嵌入しようとさえすれば、自然に受容部７０’，７２’にそれぞれ挿通される。このようにして、支持手段５０を間に挟んで半体１２，１４同士を容易に接合できる。
【００４０】
また、支持手段５０を挟んで半体１２，１４同士を接合して包装容器１を形成し、この包装容器１を吊り下げた場合、図１２（ｂ）に示すように、包装体１０は重力でＧ方向に落下しようとして、そのＧ方向の力は、包装体１０の半体１２，１４に設けられた凸部１８，１８’を介して、案内手段７０ａ，７０ａの下側の端面７０ｃに加えられる。また、人工乳首２の販売に際して、需要者が、吊り下げられた包装体１０を掴んでＧ方向に力を加えた場合にも、そのＧ方向の力は、案内手段７０ａ，７０ａの下側の端面７０ｃに加えられる。
一方、支持手段５０は、上述のように薄板状の例えば厚紙などで形成されているため、上述のＧ方向に力が加わえられると、特に案内手段７０ａ，７０ａを有する受容部７０，７０’が歪んでしまい、ひいては保持孔６２で人工乳首２を支持できなくなってしまう恐れもある。
ところが、上述のように、案内手段７０ａ，７０ａは、左右対称に設けられているので、上述のＧ方向の力は、この左右にある案内手段７０ａ，７０ａに均等に加わえられ、力が均等に分散されることになる。このため、包装体１０の荷重や需要者の力によって、薄板状の支持手段５０が歪んだりすることを有効に防止することができる。
【００４１】
また、このような支持手段５０の歪みについては、支持手段５０を半体１２と半体１４とで挟み込むことでも防止できる。すなわち、支持手段５０は、図２に示すように、半体１２と半体１４を接合した場合の接合面１３の略全体で挟み込まれている。このため、包装容器１を吊り下げて、包装体１０にＧ方向の力が加わったとしても、このＧ方向の力は、上述の案内手段７０ａ，７０ａの下側の端面７０ｃ，７０ｃに加わるだけでなく、接合面１３全体にも加わって、力が分散される。したがって、薄板状の支持手段５０が歪んだりすることを有効に防止することができる。
【００４２】
そして、このように、案内手段７０ａ，７０ａを左右対称に設けるなどして、支持手段５０の歪みを有効に防止することができるため、図１２（ａ）に示す、支持手段の略中央の左右両端に設けた受容部７２，７２’についても、下部側の左右両端に設けた受容部７０，７０’と同様に、斜め上方に切り欠いた形状の案内手段７０ａ，７０ａを設けてもよい。
【００４３】
また、この案内手段７０ａ，７０ａの形状は、凸部１８，１８’を案内できれば、図１１および図１２（ｂ）に示すような形状に限らず、例えば図１１の一点鎖線で囲った（ａ）で示す形状のように、支持手段５０の外縁に開口しない形態であってもよい。
【００４４】
本実施の形態は、以上のように構成され、人工乳首２の販売に際して、製品が変形されることがなく、製品を手に取らなくとも、外部から容易に製品の形態等を確認することができる。
また、このような機能は、上述のように、同型に形成された半体１２，１４と支持手段５０のみで発揮することができるため、部品点数を少なくすることができる。
【００４５】
また、半体１２と半体１４は、リブ２８を有する凸部１６，１６’，１８，１８’と切り欠き部２９を有する凹部１７，１７’，１９，１９’により、着脱可能であるため、需要者は、半体１２と半体１４とを分離して、支持手段５０から人工乳首２を取り出して使用し、その後、半体１２と半体１４とを接合し直して、家庭内において、同じ包装体１０に人工乳首２を収容して保管することができる。
なお、このように人工乳首２を家庭内で保管する機能を有する本包装容器１については、包装容器１に収容した人工乳首として取引される。
【００４６】
さらに、支持手段５０は、受容部７０，７０’，７２，７２’と延長部５０ａを有している。このため、支持手段５０は、受容部７０，７０’，７２，７２’と凸部１６，１６’，１８，１８’が係止することで、包装体１０と接合され、そして、支持手段５０の一部である延長部５０ａをフック等に掛けて、包装容器１を吊り下げたりすることができる。
しかも、支持手段５０は、案内手段７０，７０’を有している。このため、案内手段７０ａ，７０ａに凸部１８，１８’を挿通して、凸部１８，１８’を所定の位置に容易に案内し、またその結果、凸部１６，１６’を容易に受容部７２，７２’に挿通することもできる。
また、この案内手段７０，７０’は左右対称に設けられているので、包装容器１を吊り下げた場合の包装体１０の荷重などが、左右にある案内手段７０ａ，７０ａに均等に加わえられ、薄板状の支持手段５０が歪んだりすることを有効に防止することができる。
【００４７】
図１３ないし図１６は、本発明の実施形態にかかる第１の変形例であり、図１３は第１の変形例に係る人工乳首の包装容器１００の正面図、図１４はこの包装容器１００の平面図、図１５はこの包装容器１００の底面図、図１６はこの包装容器１００の側面図である。なお、これらの図において、包装体１０は実線で、支持手段５０は点線で示している。
図１ないし図１２の人工乳首の包装容器１と同一の構成には、共通する符号を付して重複する説明は省略し、相違点を中心に説明する。
【００４８】
この包装容器１００において、図１ないし図１２における包装容器１と異なるのは、支持手段５０に設けた保持孔６２を、一つの人工乳首のみの輪郭と一致した貫通孔としている点である。また、包装容器１００は、収容する人工乳首の数に合わせて高さを低くして、高さ方向において、店頭での陳列スペースや家庭での保管スペースを小さくしている。
【００４９】
図１７ないし図２０は、本発明の実施形態にかかる第２の変形例であり、図１７は第２の変形例に係る人工乳首の包装容器１１０の正面図、図１８はこの包装容器１１０の平面図、図１９はこの包装容器１１０の底面図、図２０はこの包装容器１１０の側面図である。なお、これらの図において、包装体１０は実線で、支持手段５０は点線で示している。
図１ないし図１２の包装容器１と同一の構成には、共通する符号を付して重複する説明は省略し、相違点を中心に説明する。
【００５０】
この包装容器１１０において、図１ないし図１２の包装容器１と異なるのは、図１７および図２０で示すように、包装容器１１０の平面側を、略半球形状としている点である。これにより、包装容器１１０は、平面側において、店頭での販売スペースおよび家庭での保管スペースを小さくし、また、上下方向を明確に示している。
【００５１】
図２１ないし図２４は、本発明の実施形態にかかる第３の変形例であり、図２１は第３の変形例に係る人工乳首の包装容器１２０の正面図、図２２はこの包装容器１２０の平面図、図２３はこの包装容器１２０の底面図、図２４はこの包装容器１２０の側面図である。なお、これらの図において、包装体１０は実線で、支持手段５０は点線で示している。
図１ないし図１２の包装容器１と同一の構成には、共通する符号を付して重複する説明は省略し、相違点を中心に説明する。
【００５２】
この包装容器１２０において、図１ないし図１２の包装容器１と異なるのは、図２２および図２３で示すように、包装体１０の形態が略円柱状となっている点である。これにより、包装容器１２０は、人工乳首２の最大直径に合わせて全体的に体積を小さくして、店頭での販売スペースおよび家庭での保管スペースを小さくしている。
【００５３】
図２５ないし図２８は、本発明の実施形態にかかる第４の変形例であり、図２５は第４の変形例に係る人工乳首の包装容器１３０の正面図、図２６はこの包装容器１３０の平面図、図２７はこの包装容器１３０の底面図、図２８はこの包装容器１３０の側面図である。なお、これらの図において、包装体１０は実線で、支持手段５０は点線で示している。
図１ないし図１２の包装容器１と同一の構成には、共通する符号を付して重複する説明は省略し、相違点を中心に説明する。
【００５４】
この包装容器１３０において、図１ないし図１２の包装容器１と異なるのは、図２５に示すように、包装体１０の幅Ｗ５を包装容器１よりも小さくしている点である。すなわち、包装容器１３０は、包装体１０の幅Ｗ５を、人工乳首が包装体１０の内壁に当接しない範囲で、人工乳首の乳輪部の最大直径よりわずかに大きくしている。これにより、包装容器１３０は、右左側面側において、店頭での販売スペースおよび家庭での保管スペースを小さくしている。
【００５５】
図２９ないし図３２は、本発明の実施形態にかかる第５の変形例であり、図２９は第５の変形例に係る人工乳首の包装容器１４０の正面図、図３０はこの包装容器１４０の平面図、図３１はこの包装容器１４０の底面図、図３２はこの包装容器１４０の側面図である。なお、これらの図において、包装体１０は実線で、支持手段５０は点線で示している。
図１ないし図１２の包装容器１と同一の構成には、共通する符号を付して重複する説明は省略し、相違点を中心に説明する。
【００５６】
この包装容器１４０において、図１ないし図１２の包装容器１と異なるのは、図３２に示すように、包装体１０の底面側の形状を、包装体１０の平面側と同様に湾曲した形状としている点、及び、脚部３０を正面側・背面側の側壁の位置まで伸ばして設けている点である。
このように、包装容器１４０は、底面側の形状を湾曲させることで、底面側において、店頭での販売スペースおよび家庭内での保管スペースを小さくしている。また、包装容器１４０は、その底面側の形状が湾曲していても、正面側・背面側の側壁の位置まで伸びた脚部３０により、テーブル等に立つことができる。
【００５７】
図３３ないし図３６は、本発明の実施形態にかかる第６の変形例であり、図３３は第６の変形例に係る人工乳首の包装容器１５０の正面図、図３４はこの包装容器１５０の平面図、図３５はこの包装容器１５０の底面図、図３６はこの包装容器１５０の側面図である。なお、これらの図において、包装体１０は実線で、支持手段５０は点線で示している。
図１ないし図１２の包装容器１と同一の構成には、共通する符号を付して重複する説明は省略し、相違点を中心に説明する。
【００５８】
この包装容器１５０において、本実施形態と異なるのは、包装体１０の平面側を、底面側の形状と同様の形状にして、包装体１０全体の形状をより完全な矩形状に近づけている点である。これにより、包装容器１５０は、その収容量を多くとれるだけでなく、例えば、家庭内で人工乳首を収容して包装容器１５０を保管するに際して、包装体１０の６面の内、どの面をテーブル等に載置しても倒れ難くしている。
【００５９】
図３７ないし図４１は、本発明の実施形態にかかる第７の変形例であり、図３７は第７の変形例に係る人工乳首の包装容器１６０の正面図、図３８はこの包装容器１６０の平面図、図３９はこの包装容器１６０の底面図、図４０はこの包装容器１６０の左側面図、図４１はこの包装容器１６０の右側面図である。なお、これらの図において、包装体１０は実線で、支持手段５０は点線で示している。
図１ないし図１２の包装容器１と同一の構成には、共通する符号を付して重複する説明は省略し、相違点を中心に説明する。
【００６０】
この包装容器１６０において、図１ないし図１２の包装容器１と異なるのは、図３８に示されるように、包装体１０の右側面の位置で、半体１２と半体１４とをヒンジ５２で接合し、左側面の位置で、半体１２に設けた係合片５４を半体１４に設けた凸部５５に係合させる止め具５６で接合して、包装体１０を形成するようにした点、及び、係止手段としての凹凸部１６’，１７’，１８，１９と受容部７０’，７２を、図３７に示す左側にのみ設けている点である。
このように、半体１２と半体１４とをヒンジ５２で接合しているので、半体１２或いは半体１４のいずれか一方を紛失することを防止できる。
また、包装容器１６０は、係止手段としての凸部１６’，１８と受容部７０’，７２を、図３７において左側の上下２箇所に設けているため、半体１２と半体１４とをヒンジ５２及び止め具５６で接合したとしても、例えば延長部５０ａの孔５０ｂにフックを掛けて包装容器１６０を吊り下げた場合、包装体１０が地面等に落下してしまうことはない。
【００６１】
図４２ないし図４７は、平面側と右側面側に延長部５０ａが設けられている人工乳首の包装容器１７０の参考図であり、図４２はこの包装容器１７０の参考正面図、図４３はこの包装容器１７０の参考平面図、図４４はこの包装容器１７０の参考底面図、図４５はこの包装容器１７０の参考左側面図、図４６はこの包装容器１７０の参考右側面図、図４７は図４２のＥ−Ｅ線切断端面図である。なお、これらの図において、包装体１０は実線で、支持手段５０は点線で示している。
この参考図のように、延長部５０ａは、包装体１０の平面側だけではなく、側面側或いは底面側のいずれに設けられてもよい。また、この参考図において、包装容器１７０は、延長部５０ａを包装体１０の平面側と右側面側の両方に設けて、延長部５０ａの所定の面積を大きくしている。そのため、この大きくなった面積分について、延長部５０ａに細かな製品仕様などを印刷することができる。
【００６２】
本発明は上述の実施形態に限定されない。各実施形態の各構成はこれらを適宜相互に組み合わせたり、省略し、図示しない他の構成と組み合わせることができる。
【００６３】
【発明の効果】
以上説明したように、本発明によれば、人工乳首の販売に際して、製品が変形されることがなく、製品を手に取らなくとも、外部から容易に製品の形態等を確認することができる人工乳首の包装容器を提供することができる。
【図面の簡単な説明】
【図１】本発明の実施形態にかかる人工乳首の包装容器の概略分解斜視図。
【図２】図１の包装容器の概略斜視図。
【図３】本発明の実施形態にかかる包装容器の一例としての正面図。
【図４】本発明の実施形態にかかる人工乳首の包装容器の正面図。
【図５】本発明の実施形態にかかる人工乳首の包装容器の平面図。
【図６】本発明の実施形態にかかる人工乳首の包装容器の底面図。
【図７】本発明の実施形態にかかる人工乳首の包装容器の側面図。
【図８】図４のＡ−Ｂ−Ｃ線組合せ断面図。
【図９】半体を凹状の空間側から見た図。
【図１０】図９のＤ−Ｄ線切断断面図。
【図１１】支持手段の正面図。
【図１２】図１２（ａ）は、支持手段の上部側にある受容部に、半体の凸部を挿通した場合の受容部付近の概略部分拡大図であり、図１２（ｂ）は、支持手段の下部側にある受容部に半体の凸部を挿通した場合の受容部付近の概略部分拡大図である。
【図１３】本発明の実施形態の第１の変形例に係る人工乳首の包装容器の正面図。
【図１４】本発明の実施形態の第１の変形例に係る人工乳首の包装容器の平面図。
【図１５】本発明の実施形態の第１の変形例に係る人工乳首の包装容器の底面図。
【図１６】本発明の実施形態の第１の変形例に係る人工乳首の包装容器の側面図。
【図１７】本発明の実施形態の第２の変形例に係る人工乳首の包装容器の正面図。
【図１８】本発明の実施形態の第２の変形例に係る人工乳首の包装容器の平面図。
【図１９】本発明の実施形態の第２の変形例に係る人工乳首の包装容器の底面図。
【図２０】本発明の実施形態の第２の変形例に係る人工乳首の包装容器の側面図。
【図２１】本発明の実施形態の第３の変形例に係る人工乳首の包装容器の正面図。
【図２２】本発明の実施形態の第３の変形例に係る人工乳首の包装容器の平面図。
【図２３】本発明の実施形態の第３の変形例に係る人工乳首の包装容器の底面図。
【図２４】本発明の実施形態の第３の変形例に係る人工乳首の包装容器の側面図。
【図２５】本発明の実施形態の第４の変形例に係る人工乳首の包装容器の正面図。
【図２６】本発明の実施形態の第４の変形例に係る人工乳首の包装容器のの平面図。
【図２７】本発明の実施形態の第４の変形例に係る人工乳首の包装容器のの底面図。
【図２８】本発明の実施形態の第４の変形例に係る人工乳首の包装容器の側面図。
【図２９】本発明の実施形態の第５の変形例に係る人工乳首の包装容器の正面図。
【図３０】本発明の実施形態の第５の変形例に係る人工乳首の包装容器の平面図。
【図３１】本発明の実施形態の第５の変形例に係る人工乳首の包装容器の底面図。
【図３２】本発明の実施形態の第５の変形例に係る人工乳首の包装容器の側面図。
【図３３】本発明の実施形態の第６の変形例に係る人工乳首の包装容器の正面図
【図３４】本発明の実施形態の第６の変形例に係る人工乳首の包装容器の平面図。
【図３５】本発明の実施形態の第６の変形例に係る人工乳首の包装容器の底面図。
【図３６】本発明の実施形態の第６の変形例に係る人工乳首の包装容器の側面図。
【図３７】本発明の実施形態の第７の変形例に係る人工乳首の包装容器の正面図。
【図３８】本発明の実施形態の第７の変形例に係る人工乳首の包装容器の平面図。
【図３９】本発明の実施形態の第７の変形例に係る人工乳首の包装容器の底面図。
【図４０】本発明の実施形態の第７の変形例に係る人工乳首の包装容器の左側面図。
【図４１】本発明の実施形態の第７の変形例に係る人工乳首の包装容器の右側面図。
【図４２】右側面側に延長部が設けられている人工乳首の包装容器の参考正面図。
【図４３】右側面側に延長部が設けられている人工乳首の包装容器の参考平面図。
【図４４】右側面側に延長部が設けられている人工乳首の包装容器の参考底面図。
【図４５】右側面側に延長部が設けられている人工乳首の包装容器の参考左側面図。
【図４６】右側面側に延長部が設けられている人工乳首の包装容器の参考右側面図。
【図４７】図４１のＥ−Ｅ線切断端面図。
【符号の説明】
１，１００，１１０，１２０，１３０，１４０，１５０，１６０，１７０・・・人工乳首の包装容器、１０・・・包装体、１２，１４・・・半体、１６，１６’，１８，１８’・・・凸部、１７，１７’，１９，１９’・・・凹部、１２ａ，１４ａ・・・凹状の空間、Ｓ・・・収容空間、３０・・・脚部、２８・・・リブ、２９・・・切り欠き部、５０・・・支持手段、５０ａ・・・延長部、６２・・・保持孔、７０，７０’，７２，７２’・・・受容部、７０ａ・・・案内手段
【図１】
2004008344.tif 000003
【図２】
2004008344.tif 000004
【図３】
2004008344.tif 000005
【図４】
2004008344.tif 000006
【図５】
2004008344.tif 000007
【図６】
2004008344.tif 000008
【図７】
2004008344.tif 000009
【図８】
2004008344.tif 000010
【図９】
2004008344.tif 000011
【図１０】
2004008344.tif 000012
【図１１】
2004008344.tif 000013
【図１２】
2004008344.tif 000014
【図１３】
2004008344.tif 000015
【図１４】
2004008344.tif 000016
【図１５】
2004008344.tif 000017
【図１６】
2004008344.tif 000018
【図１７】
2004008344.tif 000019
【図１８】
2004008344.tif 000020
【図１９】
2004008344.tif 000021
【図２０】
2004008344.tif 000022
【図２１】
2004008344.tif 000023
【図２２】
2004008344.tif 000024
【図２３】
2004008344.tif 000025
【図２４】
2004008344.tif 000026
【図２５】
2004008344.tif 000027
【図２６】
2004008344.tif 000028
【図２７】
2004008344.tif 000029
【図２８】
2004008344.tif 000030
【図２９】
2004008344.tif 000031
【図３０】
2004008344.tif 000032
【図３１】
2004008344.tif 000033
【図３２】
2004008344.tif 000034
【図３３】
2004008344.tif 000035
【図３４】
2004008344.tif 000036
【図３５】
2004008344.tif 000037
【図３６】
2004008344.tif 000038
【図３７】
2004008344.tif 000039
【図３８】
2004008344.tif 000040
【図３９】
2004008344.tif 000041
【図４０】
2004008344.tif 000042
【図４１】
2004008344.tif 000043
【図４２】
2004008344.tif 000044
【図４３】
2004008344.tif 000045
【図４４】
2004008344.tif 000046
【図４５】
2004008344.tif 000047
【図４６】
2004008344.tif 000048
【図４７】
2004008344.tif 000049